(57)【特許請求の範囲】
【請求項１】
外構構成部材を支持する支持体を備えた基礎部材を、地盤に各別に打設したアンカーロッドで地盤に固定し、前記支持体に長溝を形成して、一対の前記長溝が上下方向に沿って互いに対向するように、前記支持体を立設し、
前記外構構成部材の上下方向端面に凹部を形成し、
前記一対の長溝に亘って係合し、かつ、前記凹部に係合する係合部材を、前記長溝に沿って上下方向に移動可能に設けて、
外構の内側に中空部が形成されるように、前記外構構成部材の複数を前記支持体に支持させてある外構構造。
【請求項２】
前記凹部を前記一対の長溝の対向方向に長いスリット状に形成して、前記外構構成部材を前記係合部材に対して前記対向方向に沿って移動可能に、前記支持体に支持させてある請求項１記載の外構構造。
【請求項３】
地盤に固定してある基礎部材に前記支持体を立設し、前記基礎部材にグラウト注入孔を設け、そのグラウト注入孔を通して前記基礎部材と地盤との間にグラウト材を注入してある請求項１又は２記載の外構構造。
【請求項４】
地盤に設けてある孔に前記アンカーロッドを挿入し、前記孔に充填してある硬化性材料の硬化によって、前記アンカーロッドを地盤に打設してある請求項１〜３のいずれか１項記載の外構構造。
【請求項５】
前記アンカーロッドとして管壁に多数の貫通孔を備えた管状のアンカーロッドを使用し、
前記アンカーロッドの内側に注入した地盤改良材を前記貫通孔を通して地盤に浸透させて、前記アンカーロッドを地盤に打設してある請求項１〜３のいずれか１項記載の外構構造。
【請求項６】
前記基礎部材を、免震機構を介して地盤に支持してある請求項１，２，４，５のいずれか１項記載の外構構造。
【発明の詳細な説明】
【０００１】
【発明の属する技術分野】
本発明は、外構構造に関する。
【０００２】
【従来の技術】
塀や門柱，花壇などの園芸用の柵，縁石等の外構を地盤に固定するために、従来、外構の設置個所の地面を掘削して必要に応じて砂利などを敷き、外構構成部材を支持する鉄筋などの複数の支持部材を配置して、多量の基礎コンクリートで固定するといった基礎工事を終えてから、外構構成部材を組み付けている。
【０００３】
【発明が解決しようとする課題】
このため、大がかりな基礎工事が必要で、外構を設置するために多くの手間が掛かったり、工事期間が長くなるなどの欠点がある。
【０００４】
本発明は、上記実情に鑑みてなされたものであって、外構を簡単に、且つ、短期間で設置できるようにすることを目的とする。
【０００５】
【課題を解決するための手段】
請求項１記載の発明の特徴構成は、外構構成部材を支持する支持体を備えた基礎部材を、地盤に各別に打設したアンカーロッドで地盤に固定し、前記支持体に長溝を形成して、一対の前記長溝が上下方向に沿って互いに対向するように、前記支持体を立設し、前記外構構成部材の上下方向端面に凹部を形成し、前記一対の長溝に亘って係合し、かつ、前記凹部に係合する係合部材を、前記長溝に沿って上下方向に移動可能に設けて、外構の内側に中空部が形成されるように、前記外構構成部材の複数を前記支持体に支持させてある点にある。
〔作用及び効果〕
基礎部材を地面に配置して、地盤に各別に打設したアンカーロッドで簡単に固定することによって、基礎部材に備えた支持体に外構構成部材を支持して、外構を地盤に固定することができ、従来のような大がかりな基礎工事を行うことなく、基礎部材を簡単に地盤に固定して、その基礎部材の支持体に外構構成部材を支持させることができるので、外構を手間が少なく簡単に、且つ、短期間で設置できる。
その上、外構構成部材を支持する支持体に長溝を形成して、一対の長溝が上下方向に沿って互いに対向するように支持体を立設し、外構構成部材の上下方向端面に凹部を形成し、一対の長溝に亘って係合し、かつ、凹部に係合する係合部材を、長溝に沿って上下方向に移動可能に設けて、外構の内側に中空部が形成されるように、外構構成部材の複数を支持体に支持させてあるので、外構の軽量化を図ることができ、地震などの際に、外構を揺れに追従して変形させ易く、耐震性を高めることができる。
請求項２記載の発明の特徴構成は、前記凹部を前記一対の長溝の対向方向に長いスリット状に形成して、前記外構構成部材を前記係合部材に対して前記対向方向に沿って移動可能に、前記支持体に支持させてある点にある。
【０００６】
【０００７】
【０００８】
請求項３記載の発明の特徴構成は、地盤に固定してある基礎部材に前記支持体を立設し、前記基礎部材にグラウト注入孔を設け、そのグラウト注入孔を通して前記基礎部材と地盤との間にグラウト材を注入してある点にある。
【０００９】
〔作用〕
基礎部材と地盤との間の隙間をグラウト材で埋めて、外構の荷重を、基礎部材を介して、地盤に分散して伝達できる。
【００１０】
〔効果〕
外構設置個所の整地作業を簡略化できる。
【００１１】
【００１２】
【００１３】
【００１４】
【００１５】
【００１６】
【００１７】
【００１８】
請求項４記載の発明の特徴構成は、地盤に設けてある孔に前記アンカーロッドを挿入し、前記孔に充填してある硬化性材料の硬化によって、前記アンカーロッドを地盤に打設してある点にある。
【００１９】
〔作用〕
孔に挿入したアンカーロッドと地盤との隙間を、孔に充填してある硬化性材料を硬化させた硬化物で埋めておくことができる。
【００２０】
〔効果〕
アンカーロッドを地盤に打ち込むようなことなく簡便に打設でき、アンカーロッドを直に打ち込みにくいような硬い地盤の場合でも、その地盤に設けた孔にアンカーロッドを挿入して強固に固定できる。
【００２１】
請求項５記載の発明の特徴構成は、前記アンカーロッドとして管壁に多数の貫通孔を備えた管状のアンカーロッドを使用し、前記アンカーロッドの内側に注入した地盤改良材を前記貫通孔を通して地盤に浸透させて、前記アンカーロッドを地盤に打設してある点にある。
【００２２】
〔作用〕
アンカーロッドを打設してある地盤に、アンカーロッドの内側に注入した地盤改良材を貫通孔を通して浸透させておくことができる。
【００２３】
〔効果〕
軟弱な地盤でも、アンカーロッドを強固に固定できる。
【００２４】
請求項６記載の発明の特徴構成は、前記基礎部材を、免震機構を介して地盤に支持してある。
【００２５】
〔作用〕
地震発生時の地盤の激しい揺れを緩和して、振動が外構に伝達するのを抑制できる。
【００２６】
〔効果〕
地震発生時の外構の破損や倒壊を防止できる。
【００２７】
【発明の実施の形態】
以下に本発明の実施の形態を図面に基づいて説明する。
〔第１実施形態〕
図１〜図３は、天然石から切り出した石材パネル（外構構成部材及び化粧パネルの一例) Ｐの複数を目地Ｊを挟んで長尺状の門柱用パネル支持体（以下、単にパネル支持体という) １に上下に支持させて、内側に中空部Ｃを形成してある門柱 (外構の一例) Ａを地盤Ｄに固定する外構固定構造を示し、アルミ合金製の矩形板状の門柱用基礎部材（以下、単に基礎部材という) ２に四本のパネル支持体１を四角形の各頂点に位置するように前後左右に配置して固定するとともに、その基礎部材２の四隅にアンカーロッド挿通用の貫通孔３を設け、それらの貫通孔３の各々に挿通して地盤Ｄに打ち込んで打設した鋼製のアンカーロッド４で基礎部材２を地盤Ｄに固定して、門柱Ａを地盤Ｄに固定してある。
【００２８】
前記基礎部材２の中央部にグラウト注入孔５を設け、そのグラウト注入孔５を通してセメントモルタルなどのグラウト材６を必要に応じて基礎部材２と地盤Ｄとの間に注入して、基礎部材２と地盤Ｄとの間の隙間を埋め、門柱Ａの荷重を、基礎部材２を介して、地盤Ｄに効率良く分散した状態で固定できるようにしてある。
【００２９】
前記アンカーロッド４は、軸芯を螺旋状に捻った形状の棒材の先端側を尖らせたもので、貫通孔３から突出させた基端側に形成してある雄ネジ部７にナット８を螺合して、基礎部材２を地盤Ｄ側に締め付け固定してある。
【００３０】
また、基礎部材２の外周部には、石材パネルＰのうちの最下部に取り付ける石材パネルＰの下側端面に形成した後述のスリット９に係合させる上向き舌片１０を、内側に雨水などが溜まらないように隙間を設けて固定してある。
【００３１】
前記石材パネルＰをパネル支持体１に取り付けるパネル取り付け構造について説明すると、図４に示すように、基礎部材２にパネル支持体１を取り付け、門柱Ａの内側に中空部Ｃが形成されるように、そのパネル支持体１に保持させた複数の係合部材１１を複数の石材パネルＰの端面に設けたスリット（凹部の一例) ９にそれぞれ係合させて、その複数の石材パネルＰを係合部材１１およびパネル支持体１を介して基礎部材２に支持してある。
【００３２】
上記パネル取り付け構造では、図示しないが、従来、長尺状のパネル支持体において、その長手方向に沿って複数の切欠きを設け、各切欠きに係合部材を係合してパネル支持体に保持させ、その係合部材とパネル支持体を介して複数の石材パネルを取り付けたものが一般に知られている。
【００３３】
そして、この従来の構造では、パネル支持体に複数の切欠きを設ける必要があり、しかも、パネル支持体に設ける切欠きの位置によって、パネル支持体に対する係合部材の位置が確定されるため、石材パネルや係合部材に正確な寸法が要求され、寸法誤差があると、石材パネルの間に隙間が生じる虞もあって、複数の石材パネルを所望通りの位置に整然と取り付けることが困難となる欠点があり、また、石材パネルの大きさが変わると、その都度、その石材パネルの寸法に合うように、パネル支持体に係合部材用の切欠きを設ける必要があり、この点にも改良の余地がある。
【００３４】
そこで、本実施形態では、パネル支持体１にその長手方向に沿う長溝１２を形成して、各係合部材１１を、その長溝１２に嵌入した状態で、パネル支持体１の長手方向に沿って移動可能に構成して、従来のような、各係合部材１１の係合用切欠きをパネル支持体１に設けるような特別な加工などを必要とせずに、パネル支持体１の長手方向に自由に変更調整することができるようにしてある。
【００３５】
したがって、石材パネルＰや係合部材１１に多少の寸法誤差がある場合は勿論のこと、たとえ寸法の異なる石材パネルＰを取り付ける場合においても、パネル支持体１の長手方向に沿う各係合部材１１の係合位置変更調整によって、石材パネルＰ間に隙間などが生じることなく、整然と取り付けることができるとともに、パネル支持体１自体も、その長溝１２を形成するために設けた長溝形成用舌片（長溝形成部材の一例) １ｂによって補強されて強固な構造となるので、複数の石材パネルＰを確実に保持することができる。
【００３６】
また、パネル支持体１が門柱用パネル支持体であり、基礎部材２が門柱Ａの下部に配置される門柱用基礎部材であって、パネル支持体１を基礎部材２に略垂直姿勢で取り付けて、前述したように、石材パネルＰに寸法誤差があったり、寸法の異なる石材パネルＰを使用する場合においても、同じパネル支持体１や基礎部材２などを使用して、表面に複数の石材パネルＰを有する門柱Ａを整然と美麗に、かつ、確実に構築することができるようにしてある。
【００３７】
以下に、前記パネル取り付け構造を具体的に説明する。
前記パネル支持体１の各々はアルミ合金の押し出し成形品で、断面視で直角に屈曲しているＬ字状の基材部分１ａに、その角部を挟む両外側に沿って、長溝形成用舌片１ｂを基材部分１ａの全長に亘って一連に延設して、基材部分１ａの角部を挟む両外側に、基材部分１ａの全長に亘って一連の長溝１２をそれらの深さ方向が直交するように配置して形成してあり、基礎部材２に溶接固定してあるアルミ合金製の角筒状の支柱１３に、基材部分１ａの内面側を当て付けて、前後左右に隣り合う各パネル支持体１の長溝１２の開口側が前後方向及び左右方向に互いに対向するようにビス止めしてある。
【００３８】
図５に示すように、石材パネルＰは、左右方向に並設した２本のパネル支持体１に亘って取り付けられる広幅の石材パネルＰ１と、前後方向に並設した２本のパネル支持体１に亘って取り付けられる幅狭の石材パネルＰ２との２種類があり、いずれの石材パネルＰも矩形であって、取り付けた際に上方と下方に位置する端面には、ほぼ均一な幅Ｈを有する凹部としてのスリット９を、広幅の石材パネルＰ１には門柱Ａの外面に露出しないようにその両端部を除いて、また、幅狭の石材パネルＰ２には全幅に亘って設けてある。
【００３９】
各石材パネルＰは、天然の石材から切り出して形成してあるために、その厚みＴは不揃いであるが、図６に示すように、各石材パネルＰのスリット９において、そのスリット９の奥側を形成しているスリット係合面９ａと各石材パネルＰの表面との間の間隔Ｗが、ほぼ一定になるように設定して、各石材パネルＰにスリット９を設け、各石材パネルＰをパネル支持体１に取り付けた状態で、幅狭の石材パネルＰ２の幅方向端部が入り込む段部１４を、広幅の石材パネルＰ１の幅方向両端部に形成してある。
【００４０】
前記係合部材１１は、アルミ合金製の押し出し成形品をその長手方向に直交する方向で切断することにより形成され、パネル支持体１の長溝１２内に嵌入する嵌入部１５と、上方に突出するスリット係合用の上舌片１６と、下方に突出するスリット係合用の下舌片１７とを一体的に備えている。
【００４１】
そして、各係合部材１１の各嵌入部１５を前後方向又は前後方向で隣り合う２本のパネル支持体１の長溝１２に嵌入させて、各係合部材１１をパネル支持体１の長手方向に沿って移動可能に構成し、各係合部材１１の上舌片１６が、上方に位置する石材パネルＰの下側端面のスリット９にそれぞれ係合し、下舌片１７が、下方に位置する石材パネルＰの上側端面のスリット９にそれぞれ係合するように構成してある。
【００４２】
各係合部材１１における上下両舌片１６，１７の厚みｈは、各石材パネルＰのスリット９の幅Ｈよりも狭く、かつ、上舌片１６と下舌片１７の内側に面する各係合面１６ａ，１７ａが互いに面一になるように形成して、上下両舌片１６，１７の係合面１６ａ，１７ａと嵌入部１５の外側に面する外側面１５ａとの間の間隔ｗが、ほぼ一定になるように設定してあり、各石材パネルＰをパネル外面側に向けて弾性付勢することによって、各石材パネルＰにおけるスリット９のスリット係合面９ａが、上下各舌片１６，１７の係合面１６ａ，１７ａに接当して、各石材パネルＰの表面が面一になるように構成してある。
【００４３】
ただし、各石材パネルＰにおいて、スリット係合面９ａと表面との間の間隔Ｗをほぼ一定に設定するとはいえ、場合によっては、１ｍｍ未満の加工誤差、例えば０．３ｍｍ以下の加工誤差が生じることがある。
その場合、図６に示すように、各石材パネルＰの間に目地Ｊがあると、０．３ｍｍ程度の加工誤差は目立たないが、図７に示すように、各石材パネルＰ（Ｐ２) の間に目地Ｊがなく、隣接する石材パネルＰの縁部どうしが接触している場合には、その程度の加工誤差であっても目立つことがある。
【００４４】
このために、幅狭の石材パネルＰ２のようにスリット９が端部に開口している場合には、上下両舌片１６，１７に、断面がほぼＣの字状で同じ大きさの凹入溝１８を、石材パネルＰの裏面側に向けて開口する状態で、横方向に沿って、かつ、上下方向で対称になるように設けて、それらの凹入溝１８内に適宜挿入したテーパ部材１９，２０で、石材パネルＰの表面位置を微量調整できるようにしてある。
【００４５】
前記テーパ部材１９，２０は、細長い操作用の棒状体としての脚部１９ｂを一体的に備えた奥用テーパ部材１９と、その奥用テーパ部材１９の脚部１９ｂよりも短い操作用の棒状体としての脚部２０ｂを一体的に備えた入口用テーパ部材２０との２種類があり、いずれも合成樹脂の成型品で構成されている。
【００４６】
すなわち、奥用テーパ部材１９は、その断面形状が上下舌片１６，１７の凹入溝１８内に嵌入する形状に構成されるとともに、先端側ほど厚みが薄いテーパ状の微量調整部１９ａを脚部１９ｂの一端部に一体的に設けて、凹入溝１８内に嵌入した状態で、その微量調整部１９ａが凹入溝１８から外方へ突出するように構成してある。
【００４７】
そして、入口側テーパ部材２０は、断面形状が、凹入溝１８内に奥用テーパ部材１９の脚部１９ｂを嵌入した状態で、その残余内に嵌入する形状に構成され、かつ、先端側ほど厚みが薄いテーパ状の微量調整部２０ａを脚部２０ｂの一端部に一体的に設けて、その微量調整部２０ａが凹入溝１８から外方へ突出するように構成してある。
【００４８】
各石材パネルＰをパネル外面側に向けて弾性付勢するための弾性部材２２は、金属製のばね板材を折曲させて形成してあり、図９に示すように、各パネル支持体１の長溝１２に圧縮変形状態で嵌入させる嵌入部２３と、嵌入部２３から延設して、石材パネルＰの裏面に接当するとともに、その弾性力によって石材パネルＰを外方へ押圧付勢する押圧部２４とを一体的に備え、嵌入部２３を各長溝１２内に圧縮変形状態で嵌入することにより、各長溝１２に沿う任意の位置に係止可能に構成してある。
【００４９】
以下に、パネル支持体１を使用して各石材パネルＰを取り付ける施工方法の具体的な手順について説明する。
まず、門柱Ａの設置個所を整地して、四本の支柱１３を溶接固定してある基礎部材２を設置し、ロッド挿通用の貫通孔３の各々を通してアンカーロッド４を地盤Ｄに打ち込み、貫通孔３から突出させたアンカーロッド４の雄ネジ部７にナット８を螺合して、基礎部材２を地盤Ｄ側に締め付け固定するとともに、必要に応じてグラウト注入孔５を通してグラウト材６を基礎部材２と地盤Ｄとの間に注入して、基礎部材２と地盤Ｄとの間の隙間を埋める。
【００５０】
次に、所定長さのパネル支持体１を、基材部分１ａの内面側を支柱１３に当て付けて、前後左右に隣り合う各パネル支持体１の長溝１２の開口側が前後方向及び左右方向に互いに対向するように、その支柱１３にビス止めして固定するとともに、各パネル支持体１の上方を図外の間隔保持用連結部材により互いに連結固定する。
【００５１】
次に、最下部に取り付ける石材パネルＰ１，Ｐ２に対して弾性力を作用させる弾性部材２２を、その弾性力が石材パネルＰ１，Ｐ２の上下方向の略中央位置で作用するように、弾性部材２２の嵌入部２３を各パネル支持体１の長溝１２に嵌入しておき、最下部に取り付ける各石材パネルＰ１，Ｐ２を、その下側端面のスリット９に基礎部材２に固定してある上向き舌片１０が係合するように組み付けて、弾性部材２２の押圧部２４を押圧変形させながら略垂直に保持し、係合部材１１の嵌入部１５を隣り合うパネル支持体１の長溝１２に嵌入して、その下舌片１７を、石材パネルＰ１，Ｐ２の上側端面のスリット９に係合させる。
【００５２】
次に、先行して取り付けた各石材パネルＰ１，Ｐ２の上側端面に目地材を載せるとともに、その上に後続して取り付ける石材パネルＰ１，Ｐ２に対して弾性力を作用させる別の弾性部材２２の嵌入部２３を、弾性力が後続して取り付ける石材パネルＰ１，Ｐ２の上下方向の略中央位置で作用するように、パネル支持体１の長溝１２に嵌入しておき、後続して取り付ける石材パネルＰ１，Ｐ２の下側端面のスリット９に、先行して取り付けた石材パネルＰ１，Ｐ２の上側端面のスリット９に既に係合させてある係合部材１１の上舌片１６を係合させて、押圧部２４を押圧変形させながら略垂直に保持し、隣り合うパネル支持体１の長溝１２に嵌入部１５を嵌入した別の係合部材１１の下舌片１７を、石材パネルＰ１，Ｐ２の上側端面のスリット９に係合させるという作業を繰り返して、所定個数の石材パネルＰ１，Ｐ２を下側から順に取り付ける。
【００５３】
尚、最上部に取り付ける石材パネルＰ１，Ｐ２については、図示しないが、その石材パネルＰ１，Ｐ２の上側端面のスリット９に係合させる下舌片１７のみを備えた係合部材１１を使用して、パネル支持体１に取り付けることになる。
【００５４】
このようにして石材パネルＰの取り付けが完了すると、各石材パネルＰは、その裏側に位置する弾性部材２２の押圧部２４により外方に向けて押圧付勢され、各石材パネルＰの押圧付勢に伴って、図６に示したように、石材パネルＰのスリット９におけるスリット係合面９ａが、係合部材１１の上下各舌片１６，１７における係合面１６ａ，１７ａに接当し、さらに、嵌入部１５の外側面１５ａが、各長溝１２を形成している長溝形成用舌片１ｂの裏面に接当する。
【００５５】
その際、各係合部材１１において、上下各舌片１６，１７の係合面１６ａ，１７ａと嵌入部１５の外側面１５ａとの間の間隔ｗがほぼ一定に設定され、かつ、各石材パネルＰにおいて、スリット係合面９ａと石材パネルＰの表面との間の間隔Ｗがほぼ一定に設定されているので、たとえ各石材パネルＰの厚みＴが不揃いであっても、各石材パネルＰの表面は確実に面一となる。
【００５６】
なお、実際の施工に際しては、構築する門柱Ａの大きさが一定せず、したがって、門柱Ａの大きさに見合った大きさのパネル支持体１を使用することになるが、それ以外にも、つぎのような方法で対応することができる。
【００５７】
すなわち、パネル支持体１に取り付ける係合部材１１において、上下各舌片１６，１７の係合面１６ａ，１７ａと嵌入部１５の外側面１５ａとの間の間隔ｗが異なる係合部材１１を使用し、例えば、間隔ｗの大きな係合部材１１を使用することにより、より一層大きな石材パネルＰを使用して、大きな門柱Ａを構築することができ、その場合には、パネル支持体１や門柱用基礎部材２などについては同一のものを共用することができる。
【００５８】
また、門柱用基礎部材２において、各支柱１３間の間隔を変更し、かつ、上述した間隔保持用連結部材の長さを変えることによっても、大きさの異なる門柱Ａを構築することができ、その場合には、各支柱１３間の間隔を変更するだけで、支柱１３そのものは勿論、パネル支持体１をはじめ、係合部材１１などについても同一のものを共用することができる。
【００５９】
〔第２実施形態〕
図１０は、矩形の石材パネルＰの複数を別実施形態の長尺状の門柱用パネル支持体（以下、単にパネル支持体という) ２に上下に支持させて、内側に中空部Ｃを形成してある門柱（外構の一例) Ａを地盤Ｄに固定する外構固定構造を示している。
【００６０】
前記パネル支持体１は、断面形状が長方形の角筒状の基材部分１ａに、２種類の蟻溝（長溝１２の一例) １２ａ，１２ｂ、つまり、相対向する舌片２５を備えて基材部分１ａの短辺側に位置する幅狭の蟻溝１２ａと、相対向する舌片２６を備えて基材部分１ａの長辺側の一方に位置する幅広の蟻溝１２ｂとが設けられ、それらの蟻溝１２ａ，１２ｂが、パネル支持体１の長手方向に沿って、かつ、横外方に開口して設けられている。
【００６１】
このパネル支持体１は、第１実施形態で示したものと同様の門柱用基礎部材（以下、単に基礎部材という) ２に取り付けられるもので、そのため、基礎部材２の上面には、パネル支持体１の基材部分１ａが外嵌する断面形状長方形の二本の支柱１３が突設され、各支柱１３には、パネル支持体１をビス止めするための複数の雌ねじ２７が設けられている。
【００６２】
すなわち、各支柱１３の上方からパネル支持体１を外嵌し、パネル支持体１の下方に設けた複数のねじ孔２８から挿通したビスを支柱１３の雌ねじ２７に螺合することにより、基礎部材２に対して２本の門柱用パネル支持体１を垂直姿勢で取り付け固定できるようにしてある。
【００６３】
尚、本実施形態においては、パネル支持体１が既製のもので、その前後方向幅が不足しているために、基材部分１ａの短辺側の一方に、短辺側に設けたものと同様の幅狭の蟻溝１２ａを設けてある補助支持体２９を、角パイプ製のスペーサ２０を介してビス止めして、その前後方向幅が所定幅になるようにしてある。
【００６４】
前記石材パネルＰは、図１１に示すように、２本のパネル支持体１にわたって取り付けられる幅広の石材パネルＰ１と、１本のパネル支持体１に取り付けられる幅狭の石材パネルＰ２との２種類があり、いずれの石材パネルＰも矩形であって、取り付けた際に上方と下方に位置する端面には、ほぼ均一な幅Ｈを有する凹部としてのスリット９が、各端面の全長にわたって設けられている。
【００６５】
また、石材パネルＰをパネル支持体１に取り付けるための係合部材１１としては、横幅が短い係合部材１１ａと、横幅が長い係合部材１１ｂとの２種類があり、各係合部材１１は、アルミ合金製の押し出し成形品をその長手方向に直交する方向で切断することにより形成され、図１２，図１３に示すように、パネル支持体１の両蟻溝１２ａ，１２ｂ内に嵌入する嵌入部１５と、上方に突出するスリット係合用の上舌片１６と、下方に突出するスリット係合用の下舌片１７とを一体的に備えて、各蟻溝１２ａ，１２ｂに対応する横幅に切断され、かつ、上下各舌片１６，１７と嵌入部１５とを連結している連結部３１に蟻溝形成用舌片２５，２６が入り込むスリット３１ａを穿設することで形成されている。
【００６６】
そして、各係合部材１１ａ，１１ｂは、その嵌入部１５を各蟻溝１２ａ，１２ｂ内に嵌入した状態で、その蟻溝１１２ａ，１２ｂに沿って、つまり、パネル支持体１の長手方向に沿って移動可能に構成してあり、かつ、各係合部材１１ａ，１１ｂの上舌片１６が、上方に位置する石材パネルＰの下側端面に形成したスリット９に、また、下舌片１７が、下方に位置する石材パネルＰの上側端面に形成ｓたスリット９にそれぞれ係合するように構成してある。
【００６７】
各石材パネルＰを外側方へ弾性付勢するための弾性部材２２は、図１４に示すように、パネル支持体１の幅狭の蟻溝１２ａに嵌入する幅狭の弾性部材２２ａと幅広の蟻溝１２ｂに嵌入する幅広の弾性部材２２ｂとの２種類がある。
【００６８】
いずれの弾性部材２２も金属製のばね板材を折曲させて形成されて、図１５に示すように、各蟻溝１２ａ，１２ｂ内に嵌入する嵌入用突起３２と、嵌入用突起３２の上下に位置して、各石材パネルＰの裏面に接当するとともに、その弾性力によって各石材パネルＰを外方へ押圧付勢する一対の押圧部２４とを一体的に備えて、各嵌入用突起３２を各蟻溝１２ａ，１２ｂ内に嵌入することにより、各蟻溝１２ａ，１２ｂに沿う任意の位置に係止可能に構成されている。
【００６９】
上記パネル支持体１を使用して石材パネルＰを取り付ける施工方法の具体的な手順について説明する。
まず、門柱Ａの設置個所を整地して、二本の支柱１３を溶接固定してある基礎部材２を設置し、第１実施形態で示したと同様に、ロッド挿通用の貫通孔３の各々を通してアンカーロッド４を地盤Ｄに打ち込み、貫通孔３から突出させたアンカーロッド４の雄ネジ部７にナット８を螺合して、基礎部材２を地盤Ｄ側に締め付け固定するとともに、必要に応じてグラウト注入孔５を通してグラウト材６を基礎部材２と地盤Ｄとの間に注入して、基礎部材２と地盤Ｄとの間の隙間を埋める。
【００７０】
次に、補助支持体２９を予め固定してあるパネル支持体１を、基礎部材２から突出している二本の支柱１３に対して、幅広の蟻溝１２ｂが外側に位置するようにその上方から外嵌してビス止めするとともに、両パネル支持体１の上方を図外の間隔保持用連結部材により互いに連結固定して、基礎部材２に対してほぼ垂直に固定した２本のパネル支持体１を、その長手方向に沿う面が、互いに面一あるいは平行になるように立設する。
【００７１】
次に、最下部に取り付ける石材パネルＰ１，Ｐ２に対して弾性力を作用させる弾性部材２２ａ，２２ｂの嵌入用突起３２を、その弾性力が石材パネルＰ１，Ｐ２の上下方向の略中央位置で作用するように、両パネル支持体１及び補助支持体２９において、各蟻溝１２ａ，１２ｂに嵌入しておき、最下部に取り付ける各石材パネルＰ１，Ｐ２を、その下側端面のスリット９に基礎部材２に固定してある上向き舌片１０が係合するように組み付けて、弾性部材２２ａ，２２ｂの押圧部２４を押圧変形させながら略垂直に保持し、係合部材１１ａ，１１ｂの嵌入部１５を隣り合うパネル支持体１或いは補助支持体２９の各蟻溝１２ａ，１２ｂに嵌入して、その下舌片１７を、石材パネルＰ１，Ｐ２の上側端面のスリット９に係合させる。
【００７２】
つまり、幅狭の蟻溝１２ａ側においては、二個の係合部材１１ａの下舌片１７を幅広の石材パネルＰ１の上側端面のスリット９に係合し、幅広の蟻溝１２ｂ側においては、一個の係合部材１１ｂの下舌片１７を幅狭の石材パネルＰ２の上側端面のスリット９に係合する。
【００７３】
次に、先行して取り付けた各石材パネルＰ１，Ｐ２の上側端面に目地材を載せるとともに、その上に後続して取り付ける石材パネルＰ１，Ｐ２に対して弾性力を作用させる別の弾性部材２２ａ，２２ｂの嵌入用突起３２を、その弾性力が後続して取り付ける石材パネルＰ１，Ｐ２の上下方向の略中央位置で作用するように、各蟻溝１２ａ，１２ｂに嵌入しておき、後続して取り付ける石材パネルＰ１，Ｐ２の下側端面のスリット９に、先行して取り付けた石材パネルＰ１，Ｐ２の上側端面のスリット９に既に係合させてある係合部材１１ａ，１１ｂの上舌片１６を係合させて、弾性部材２２ａ，２２ｂの押圧部２４を押圧変形させながら略垂直に保持し、別の係合部材１１ａ，１１ｂの嵌入部１５を各蟻溝１２ａ，１２ｂに嵌入して、その下舌片１７を、石材パネルＰ１，Ｐ２の上側端面のスリット９に係合させるという作業を繰り返して、所定個数の石材パネルＰ１，Ｐ２を下側から順に取り付ける。
【００７４】
尚、最上部に取り付ける石材パネルＰ１，Ｐ２については、図示しないが、その石材パネルＰ１，Ｐ２の上側端面のスリット９に係合させる下舌片１７のみを備えた係合部材１１を使用して、パネル支持体１に取り付けることになる。
【００７５】
このようにして石材パネルＰの取り付けが完了すると、各石材パネルＰは、その裏側に位置する弾性部材２２の押圧部２４により外方に押圧付勢され、各石材パネルＰの押圧付勢に伴って、図１６に示すように、石材パネルＰのスリット９におけるスリット係合面９ａが、係合部材１１の上下各舌片１６，１７における係合面１６ａ，１７ａに接当し、さらに、嵌入部１５の外側面１５ａが、各蟻溝１２ａ，１２ｂの蟻溝形成用舌片２５，２６の裏面に接当する。
【００７６】
その際、各係合部材１１において、上下各舌片１６，１７の係合面１６ａ，１７ａと嵌入部１５の外側面１５ａとの間の間隔ｗがほぼ一定に設定され、かつ、各石材パネルＰにおいて、スリット係合面９ａと石材パネルＰの表面との間の間隔Ｗがほぼ一定に設定されているので、たとえ各石材パネルＰの厚みＴが不揃いであっても、各石材パネルＰの表面は確実に面一となる。
その他の構成は第１実施形態と同様である。
【００７７】
〔第３実施形態〕
図１７は、矩形の石材パネル（外構構成部材の一例) Ｐの複数を長尺状の塀用パネル支持体（以下、単にパネル支持体という) １の前後両側において上下に支持させて、内側に中空部Ｃを形成してある塀（外構の一例) Ｂを地盤Ｄに固定する外構固定構造を示し、図１８に示すように、一本のパネル支持体１を固定してあるアルミ合金製の矩形板状の塀用基礎部材（以下、単に基礎部材という) ２の複数を間隔を隔てて設置し、各基礎部材２に設けたアンカーロッド挿通用の貫通孔３の各々に挿通して地盤Ｄに打ち込んで打設した鋼製のアンカーロッド４で、各基礎部材２を地盤Ｄに固定して、塀Ｂを地盤Ｄに固定してある。
【００７８】
前記基礎部材２の前部側及び後部側に、石材パネルＰのうちの最下部に取り付ける石材パネルＰの下側端面に形成したスリット９に係合させる上向き舌片１０を固定し、各基礎部材２の前後方向略中央の左右に、グラウト注入孔５を設けて、必要に応じてグラウト材６を基礎部材２と地盤Ｄとの間に注入できるようにしてある。
【００７９】
図１９に示すように、前記パネル支持体１の各々はアルミ合金の押し出し成形品で、断面形状が正方形の角筒状の基材部分１ａの前後両面に、Ｔ字状の長溝形成用舌片１ｂを基材部分１ａの全長に亘って一連に延設して、基材部分１ａの全長に亘って一連の長溝１２を左右両側に配置して形成してある。
【００８０】
そして、基礎部材２に溶接固定してあるアルミ合金製の角柱状の支柱１３に、所定長さのパネル支持体１の基材部分１ａを外嵌してビス止めし、図２０に示すように、石材パネルＰに端面にその幅方向の全長に亘って設けたスリット９を、パネル支持体１の長溝１２に沿って上下移動自在に設けた係止部材１１の上下各舌片１６，１７に係合させて、隣り合う基礎部材２の並設方向及び上下方向に沿って相対移動自在に支持してある。
【００８１】
尚、石材パネルＰをパネル支持体１に取り付けるための係合部材１１、及び、石材パネルＰをパネル外面側に向けて弾性付勢するための弾性部材２２は、第１実施形態で示したものと同様のものであるので、その説明は省略する。
【００８２】
以下に、パネル支持体１を使用して各石材パネルＰを取り付ける施工方法の具体的な手順について説明する。
まず、塀Ｂの設置個所を整地して、支柱１３を溶接固定してある基礎部材２の複数を一定間隔を隔てて設置し、ロッド挿通用の貫通孔３の各々を通してアンカーロッド４を地盤Ｄに打ち込み、貫通孔３から突出させたアンカーロッド４の雄ネジ部７にナット８を螺合して、各基礎部材２を地盤Ｄ側に締め付け固定するとともに、必要に応じて、グラウト注入孔５を通してグラウト材６を基礎部材２と地盤Ｄとの間に注入して、基礎部材２と地盤Ｄとの間の隙間を埋める。
【００８３】
次に、所定長さのパネル支持体１の基材部分１ａを、左右一対の長溝１２が前後に位置するように支柱１３に外嵌してビス止めするとともに、各パネル支持体１の上方を図外の間隔保持用連結部材により互いに連結固定する。
【００８４】
次に、パネル支持体１の前後両側において、最下部に取り付ける石材パネルＰに対して弾性力を作用させる弾性部材２２の嵌入部２４を、その弾性力が石材パネルＰの上下方向の略中央位置で作用するように、各パネル支持体１の長溝１２に嵌入しておき、最下部に取り付ける各石材パネルＰを、その下側端面のスリット９に基礎部材２に固定してある上向き舌片１０が係合するように組み付けて、弾性部材２２の押圧部２４を押圧変形させながら略垂直に保持し、係合部材１１の嵌入部１５を隣り合うパネル支持体１の長溝１２に嵌入して、その下舌片１７を、石材パネルＰの上側端面のスリット９に係合させる。
【００８５】
次に、先行して取り付けた各石材パネルＰの上側端面に目地材を載せるとともに、その上に後続して取り付ける石材パネルＰに対して弾性力を作用させる別の弾性部材２２の嵌入部２３を、弾性力が後続して取り付ける石材パネルＰの上下方向の略中央位置で作用するように、パネル支持体１の長溝１２に嵌入しておき、後続して取り付ける石材パネルＰの下側端面のスリット９に、先行して取り付けた石材パネルＰの上側端面のスリット９に既に係合させてある係合部材１１の上舌片１６を係合させて、押圧部２４を押圧変形させながら略垂直に保持し、隣り合うパネル支持体１の長溝１２に嵌入部１５を嵌入した別の係合部材１１の下舌片１７を、石材パネルＰの上側端面のスリット９に係合させるという作業を繰り返して、図２１に示すように、所定個数の石材パネルＰを下側から順に取り付ける。
その他の構成は、第１実施形態と同様である。
【００８６】
〔第４実施形態〕
図２２は、第３実施形態の変形例を示し、上下方向で一つ置きに組み付ける石材パネルＰを左右の係合部材１１に亘って係合させて、複数の石材パネルＰを千鳥状に配置し、各石材パネルＰを上下で隣り合う石材パネルＰの間に入り込むように組み付けてある。
その他の構成は、第３実施形態と同様である。
【００８７】
〔第５実施形態〕
図２３は、矩形の石材パネルＰの複数を別実施形態の長尺状の塀用パネル支持体（以下、単にパネル支持体という) １の前後両側において上下に支持させて、内側に中空部Ｃを形成してある塀（外構の一例) Ｂを地盤Ｄに固定する外構固定構造を示し、図２４に示すように、一本のパネル支持体１を固定してあるアルミ合金製の矩形板状の塀用基礎部材（以下、単に基礎部材という) ２の複数を一定間隔を隔てて設置し、各基礎部材２に設けたアンカーロッド挿通用の貫通孔３の各々に挿通して地盤Ｄに打ち込んで打設した鋼製のアンカーロッド４で、各基礎部材２を地盤Ｄに固定して、塀Ｂを地盤Ｄに固定してある。
【００８８】
前記基礎部材２の前部側及び後部側に、石材パネルＰのうちの最下部に取り付ける石材パネルＰの下側端面に形成したスリット９に係合させる上向き舌片１０を固定し、各基礎部材２の前後方向略中央の左右に、グラウト注入孔５を設けて、必要に応じてグラウト材６を基礎部材２と地盤Ｄとの間に注入できるようにしてある。
【００８９】
図２５に示すように、前記パネル支持体１はアルミ合金の押し出し成型品で、断面形状が長方形の角筒状の基材部分１ａの前後両面に、相対向する舌片２５を備えた蟻溝（長溝の一例) １２を、パネル支持体１の長手方向に沿って、かつ、対応する表面側に開口させて設けてある。
【００９０】
そして、基礎部材２に溶接固定してあるアルミ合金製の角柱状の支柱１３に、所定長さのパネル支持体１の基材部分１ａを外嵌してビス止めし、図２６に示すように、石材パネルＰのに端面に設けたスリット９を、パネル支持体１の蟻溝１２に沿って上下移動自在に設けた係止部材１１の上下各舌片１６，１７に係合させて、隣り合う基礎部材２の並設方向及び上下方向に沿って相対移動自在に支持してある。
【００９１】
尚、石材パネルＰをパネル支持体１に取り付けるための係合部材１１、及び、石材パネルＰをパネル外面側に向けて弾性付勢するための弾性部材２２は、第２実施形態で示したものと同様のものであるので、その説明は省略する。
【００９２】
以下に、パネル支持体１を使用して各石材パネルＰを取り付ける施工方法の具体的な手順について説明する。
まず、塀Ｂの設置個所を整地して、支柱１３を溶接固定してある基礎部材２の複数を一定間隔を隔てて設置し、ロッド挿通用の貫通孔３の各々を通してアンカーロッド４を地盤Ｄに打ち込み、貫通孔３から突出させたアンカーロッド４の雄ネジ部７にナット８を螺合して、各基礎部材２を地盤Ｄ側に締め付け固定するとともに、必要に応じて、グラウト注入孔５を通してグラウト材６を基礎部材２と地盤Ｄとの間に注入して、基礎部材２と地盤Ｄとの間の隙間を埋める。
【００９３】
次に、所定長さのパネル支持体１の基材部分１ａを、蟻溝１２が前後に位置するように支柱１３に外嵌してビス止めするとともに、各パネル支持体１の上方を図外の間隔保持用連結部材により互いに連結固定する。
【００９４】
次に、パネル支持体１の前後両側において、最下部に取り付ける石材パネルＰに対して弾性力を作用させる弾性部材２２の嵌入用突起３２を、その弾性力が石材パネルＰの上下方向の略中央位置で作用するように、各パネル支持体１において、各蟻溝１２を嵌入しておき、最下部に取り付ける各石材パネルＰを、その下側端面のスリット９に基礎部材２に固定してある上向き舌片１０が係合するように組み付ける。
【００９５】
そして、弾性部材２２の押圧部２４を押圧変形させながら略垂直に保持し、係合部材１１の嵌入部１５を隣り合うパネル支持体１の各蟻溝１２に嵌入して、その下舌片１７を、石材パネルＰの上側端面のスリット９に係合させ、その石材パネルＰの上側端面に目地材を載せる。
【００９６】
次に、先行して取り付けた各石材パネルＰの上側に後続して取り付ける石材パネルＰに対して弾性力を作用させる別の弾性部材２２の嵌入用突起３２を、その弾性力が後続して取り付ける石材パネルＰの上下方向の略中央位置で作用するように、各蟻溝１２に嵌入しておき、後続して取り付ける石材パネルＰの下側端面のスリット９に、先行して取り付けた石材パネルＰの上側端面のスリット９に既に係合させてある係合部材１１の上舌片１６を係合させて、弾性部材２２の押圧部２４を押圧変形させながら略垂直に保持し、別の係合部材１１の嵌入部１５を各蟻溝１２に嵌入して、その下舌片１７を、石材パネルＰの上側端面のスリット９に係合させるという作業を繰り返して、図２７に示すように、所定個数の石材パネルＰを下側から順に取り付ける。
その他の構成は第２実施形態と同様である。
【００９７】
〔第６実施形態〕
図２８は、外構Ａ（Ｂ) を地盤Ｄに固定する外構固定構造の別実施形態を示し、地盤Ｄに設けてある孔３４にアンカーロッド４を挿入し、その孔３４に充填してある硬化性材料３３の硬化によって、アンカーロッド４を地盤Ｄに打設してある。
【００９８】
つまり、オーガなどの穴掘機で地盤Ｄを掘削して設けた孔３４に、セメントミルクやモルタル，コンクリートなどの硬化性材料３３を注入して、その硬化性材料３３を硬化させた硬化物で固定することにより打設したアンカーロッド４で、基礎部材を地盤に固定してある。
その他の構成は第１実施形態と同様である。
尚、本実施形態では、第１実施形態で示した外構Ａを例示して説明したが、第２実施形態で示した外構Ａの固定構造や、第３〜第５実施形態で示した外構Ｂの固定構造に適用しても良い。
【００９９】
〔第７実施形態〕
図２９は、外構Ａ（Ｂ) を地盤Ｄに固定する外構固定構造の別実施形態を示し、アンカーロッド４として管壁に多数の貫通孔４ａを備えた管状のアンカーロッド４を使用し、そのアンカーロッド４の内側に注入した地盤改良材３５をそれらの貫通孔４ａを通して地盤Ｄに浸透させて、アンカーロッド４を地盤Ｄに打設してある。
【０１００】
つまり、多数の貫通孔４ａを形成してあるパイプ状のアンカーロッド４を地盤Ｄに打ち込むとともに、そのアンカーロッド４の貫通孔４ａを通してセメントミルクや薬剤などの地盤改良材３５を浸透させた地盤Ｄに固定してある。
その他の構成は第１実施形態と同様である。
尚、本実施形態では、第１実施形態で示した外構Ａを例示して説明したが、第２実施形態で示した外構Ａの固定構造や、第３〜第５実施形態で示した外構Ｂの固定構造に適用しても良い。
【０１０１】
〔第８実施形態〕
図３０は、外構Ａ（Ｂ) を地盤Ｄに固定する外構固定構造の別実施形態を示し、基礎部材２を、免震機構３６を介して地盤Ｄに支持してある。
【０１０２】
前記免震機構３６は、テフロンシート３７と防震ゴムシート３８とを介して、基礎部材２を地盤Ｄに支持するもので、テフロンシート３７と防震ゴムシート３８とを上下に重ねて基礎部材２と地盤Ｄとの間に挟み込み、アンカーロッド４の雄ネジ部７を、それらのテフロンシート３７と防震ゴムシート３８とを貫通して、基礎部材２の貫通孔３から突出させるとともに、その雄ネジ部７の貫通孔３からの突出部に、防震ゴムシート３８とテフロンシート３７とを上下に外嵌し、ワッシャ３９を挟んで螺着したナット８で、それらのテフロンシート３７と防震ゴムシート３８とを締め付けてある。
【０１０３】
前記基礎部材２と防震ゴムシート３８との間にテフロンシート３７を挟み込んで、基礎部材２と防震ゴムシート３８の水平方向の相対変位を積極的に許容できるようにしてあるので、地震発生時の地盤Ｄの激しい揺れを効率良く緩和できる。
その他の構成は第１実施形態と同様である。
【０１０４】
尚、本実施形態では、第１実施形態で示した外構Ａを例示して説明したが、第２実施形態で示した外構Ａの固定構造や、第３〜第５実施形態で示した外構Ｂの固定構造に適用しても良い。
【０１０５】
〔第９実施形態〕
図３１，図３２は、外構Ａ（Ｂ) を地盤Ｄに固定する外構固定構造の別実施形態を示し、基礎部材２を四角錐状に形成して、四本のパネル支持体１を角錐底面４１に前後左右に配置して固定するとともに、その基礎部材２の四隅にアンカーロッド挿通用の貫通孔３を設けてある。
【０１０６】
そして、角錐頂部４０を下向きにして角錐底面４１が地表に露出するように基礎部材２を地盤Ｄに埋め込み、貫通孔３の各々に挿通して地盤Ｄに打ち込んで打設した鋼製のアンカーロッド４で基礎部材２を地盤Ｄに固定して、門柱Ａを地盤Ｄに固定してある。
【０１０７】
本実施形態では、四角錐状の基礎部材２を、角錐頂部４０を下向きにして角錐底面４１が地表に露出するように地盤Ｄに埋め込んであるので、地震などの際の震動によって、基礎部材２が沈下するようなおそれが少ない。
その他の構成は第１実施形態と同様である。
【０１０８】
尚、本実施形態では、第１実施形態で示した外構Ａを例示して説明したが、第２実施形態で示した外構Ａの固定構造や、第３〜第５実施形態で示した外構Ｂの固定構造に適用しても良い。
【０１０９】
〔その他の実施形態〕
１．本発明による外構固定構造におけるアンカーロッドの打設施工とは、アンカーロッドを地盤に打ち込むことにより基礎部材を地盤に固定すること以外に、地盤に開けた穴にアンカーロッドを挿入して基礎部材を地盤に固定することをも意味するものである。
２．本発明による外構固定構造は、外構構成部材を支持する支持体を備えたコンクリート製の基礎部材を、地盤に各別に打設したアンカーロッドで地盤に固定してあっても良い。
３．本発明による外構固定構造は、地盤に各別に打設したアンカーロッドに基礎部材を溶接固定して地盤に固定してあっても良い。
４．本発明による外構固定構造は、上端部を屈曲させて形成した頭部を備えたアンカーロッドを基礎部材の貫通孔に挿通して地盤に打ち込むことにより地盤に打設し、その頭部で基礎部材を地盤側に押し付け固定してあっても良い。
５．本発明による外構固定構造は、予め地盤に打設してあるアンカーロッドの上部を基礎部材に設けた貫通孔に挿通して、その基礎部材を地盤に固定してあっても良い。
６．本発明による外構固定構造は、貫通孔を備えたリング状の部材を基礎部材に固定して、アンカーロッド挿通用の複数の貫通孔に形成してあっても良い。
７．本発明による外構固定構造は、アルミ合金の押し出し成形品で構成した支持体以外の、例えば、市販の形鋼などを加工して構成した支持体を基礎部材に設けてあっても良い。
８．本発明による外構固定構造で地盤に固定する外構の内側の中空部に、散水用や防火用の水を貯留する貯水槽を設けてあっても良い。
９．本発明による外構固定構造で地盤に固定する外構は、花壇などの園芸用の柵や縁石であっても良い。
１０．本発明による外構固定構造で地盤に固定する外構は、天然の石材から切り出した石材パネル以外の各種化粧パネル、例えば、合成樹脂製パネルや人造石材製パネル、複数枚のタイルを貼り付けてあるパネル、タイルそのものからなるパネル、吹きつけ塗装などにより形成してあるパネルを支持体に支持したものであっても良い。
１１．本発明による外構固定構造で地盤に固定する外構は、外構構成部材としての隣り合う化粧パネルどうしの間に目地を設けてあるものでも、目地を設けていないものであっても良い。
１２．本発明による請求項５記載の外構固定構造は、地盤に設けてある孔に未硬化の硬化性材料を充填してから、その孔にアンカーロッドを挿入してあっても、地盤に設けてある孔にアンカーロッドを挿入してから、その孔に硬化性材料を充填してあっても良い。
１３．本発明による請求項６記載の外構固定構造は、先端部を塞いである管状のアンカーロッドを地盤に打設してあっても良い。
【図面の簡単な説明】
【図１】  第１実施形態の外構固定構造を示す一部切欠き側面図
【図２】  要部の一部断面平面図
【図３】  要部の分解斜視図
【図４】  要部の一部断面平面図
【図５】  要部の分解斜視図
【図６】  要部の縦断側面図
【図７】  要部の縦断側面図
【図８】  要部の斜視図
【図９】  （イ) は要部の断面図、（ロ) は要部の斜視図
【図１０】  第２実施形態を示す分解斜視図
【図１１】  要部の分解斜視図
【図１２】  要部の斜視図
【図１３】  要部の一部断面平面図
【図１４】  要部の斜視図
【図１５】  要部の一部断面平面図
【図１６】  要部の縦断側面図
【図１７】  第３実施形態を示す一部切欠き正面図
【図１８】  要部の分解斜視図
【図１９】  要部の一部断面平面図
【図２０】  要部の一部断面平面図
【図２１】  要部の縦断側面図
【図２２】  第４実施形態を示す一部切欠き正面図
【図２３】  第５実施形態を示す一部切欠き正面図
【図２４】  要部の分解斜視図
【図２５】  要部の一部断面平面図
【図２６】  要部の一部断面平面図
【図２７】  要部の縦断側面図
【図２８】  第６実施形態の外構固定構造を示す一部切欠き側面図
【図２９】  第７実施形態の外構固定構造を示す一部切欠き側面図
【図３０】  第８実施形態の外構固定構造を示す一部切欠き側面図
【図３１】  第９実施形態の外構固定構造を示す一部切欠き側面図
【図３２】  要部の斜視図
【符号の説明】
Ａ    外構
Ｂ    外構
Ｃ    中空部
Ｄ    地盤
Ｐ    外構構成部材
１    支持体
２    基礎部材
４    アンカーロッド
４ａ  貫通孔
５    グラウト注入孔
６    グラウト材
３３  硬化性材料
３４  孔
３５  地盤改良材
３６  免震機構
【図１】
0003807968.tif 000002
【図２】
0003807968.tif 000003
【図３】
0003807968.tif 000004
【図４】
0003807968.tif 000005
【図５】
0003807968.tif 000006
【図６】
0003807968.tif 000007
【図７】
0003807968.tif 000008
【図８】
0003807968.tif 000009
【図９】
0003807968.tif 000010
【図１０】
0003807968.tif 000011
【図１１】
0003807968.tif 000012
【図１２】
0003807968.tif 000013
【図１３】
0003807968.tif 000014
【図１４】
0003807968.tif 000015
【図１５】
0003807968.tif 000016
【図１６】
0003807968.tif 000017
【図１７】
0003807968.tif 000018
【図１８】
0003807968.tif 000019
【図１９】
0003807968.tif 000020
【図２０】
0003807968.tif 000021
【図２１】
0003807968.tif 000022
【図２２】
0003807968.tif 000023
【図２３】
0003807968.tif 000024
【図２４】
0003807968.tif 000025
【図２５】
0003807968.tif 000026
【図２６】
0003807968.tif 000027
【図２７】
0003807968.tif 000028
【図２８】
0003807968.tif 000029
【図２９】
0003807968.tif 000030
【図３０】
0003807968.tif 000031
【図３１】
0003807968.tif 000032
【図３２】
0003807968.tif 000033